(57)【特許請求の範囲】
【請求項１】
測定器との間に個別にケーブルを介在させて各別に電気的に接続される複数個の測定プローブを有し、これら測定プローブのそれぞれは、長尺な大型導体からなる被測定物の長さ方向と直交する位置関係でその略上半分を跨いでの当接載置が自在で、かつ、被測定物の長さ方向での側面側との対面部位に設けられた雌ねじ孔と螺合密着させて前記側面への圧接が自在な導電性ねじ杆を具備させてなる電気計測用の測定プローブユニットにおいて、
前記測定プローブのそれぞれには、被測定物の長さ方向と直交する方向に配設される絶縁性支腕材の一端部が各別に固着され、これら絶縁性支腕材は、それぞれの他端部に相互の間隔調節を自在に形成された絶縁性連結材を介在配置して連結され、各測定プローブに各別に接続された前記ケーブルのそれぞれは、各絶縁性支腕材と絶縁性連結材とを経てそれぞれが向き合う部位から導出して前記測定器に接続させたことを特徴とする電気計測用の測定プローブユニット。
【請求項２】
測定器との間に個別にケーブルを介在させて各別に電気的に接続される複数個の測定プローブを有し、これら測定プローブのそれぞれは、長尺な大型導体からなる被測定物の長さ方向と直交する位置関係でその略上半分を跨いでの当接載置が自在で、かつ、被測定物の長さ方向での側面側との対面部位に設けられた雌ねじ孔と螺合密着させて前記側面への圧接が自在な導電性ねじ杆を具備させてなる電気計測用の測定プローブユニットにおいて、
前記測定プローブのそれぞれは、所定間隔をおいて平行に配置された一対の支腕部相互を連結腕部を介して一体に連結して略コ字状に形成された絶縁性連結腕材の各開放端部に各別に固着され、各測定プローブに各別に接続された前記ケーブルのそれぞれは、絶縁性連結腕材の長さ方向に沿わせて設けられた案内部に案内されてそれぞれが向き合う位置にて端子部を介して一本化して導出することにより前記測定器に接続させたことを特徴とする電気計測用の測定プローブユニット。
【請求項３】
各測定プローブの側から２本ずつ引き出される前記ケーブルのそれぞれは、前記絶縁性連結腕材の長さ方向に沿わせ、かつ、相互を離間させて平行に設けられた各案内部に個別に案内されてそれぞれが向き合う位置にて端子部を介して一本化して導出することにより前記測定器に接続させたことを特徴とする請求項２に記載の電気計測用の測定プローブユニット。
【発明の詳細な説明】
【０００１】
【発明の属する技術分野】
本発明は、長尺な大型導体からなる被測定物に固定して電圧、電流、抵抗等の電気的な変量を測定する際に好適に用いることができる電気計測用の測定プローブユニットに関する。
【０００２】
【従来の技術】
通常、被測定物の電圧、電流、抵抗等の電気的な変量を測定する際には、図６に示すように二本の測定プローブ１，２を被測定物１０１の各測定ポイントに各別に押し当てることにより行われている。
【０００３】
この場合、測定プローブ１，２は、ケーブル５，６を介して測定器７に接続されており、該測定器７の表示部８に出力表示される数値等を測定値として読み取ることにより測定作業が行われる。
【０００４】
【発明が解決しようとする課題】
しかし、測定プローブ１，２を被測定物１０１の測定ポイントに各別に押し当てて行われる上記測定作業は、測定作業者が一方の手で一方の測定プローブ１の把持部３を、他方の手で他方の測定プローブ２の把持部４を各別に持ちながら行う必要があるので、測定中は手が塞がって一人では測定器７の操作が行えなくなる不都合があった。
【０００５】
また、測定プローブ１，２を測定作業者の両手を広げた間隔よりも離れた測定ポイントに各別に接触させる必要がある場合には、これら測定プローブ１，２を一人で持って測定作業を行うことができない不具合もあった。
【０００６】
さらに、測定プローブ１，２を手で持って測定する場合には、各測定ポント相互の二点間があらかじめ定められている一定距離としなければならないときであっても、正確に当該一定距離を維持できない問題もあった。
【０００７】
さらにまた、測定プローブ１，２と測定器７との間にはケーブル５，６が介在しているので、測定作業者が測定プローブ１，２を手で持ったままの状態で表示部８の測定値を読み取ろうとする際には、ケーブル５，６と測定器７とが被測定物１０１の側に近づき過ぎ、被測定物１０１からの磁界の影響を受けて正確な測定できなくなるという問題もあった。
【０００８】
本発明は従来技術にみられた上記課題に鑑み、被測定物の測定ポイントに対し測定プローブを所定間隔で位置固定した状態のもとで接触させることにより、測定作業者が測定プローブを持つ必要をなくして正確な測定作業を遂行できる電気計測用の測定プローブユニットを提供することに目的がある。
【０００９】
【課題を解決するための手段】
本発明は上記目的を達成すべくなされたものであり、そのうちの第１の発明の構成上の特徴は、測定器との間に個別にケーブルを介在させて各別に電気的に接続される複数個の測定プローブを有し、これら測定プローブのそれぞれは、長尺な大型導体からなる被測定物の長さ方向と直交する位置関係でその略上半分を跨いでの当接載置が自在で、かつ、被測定物の長さ方向での側面側との対面部位に設けられた雌ねじ孔と螺合密着させて前記側面への圧接が自在な導電性ねじ杆を具備させてなる電気計測用の測定プローブユニットにおいて、前記測定プローブのそれぞれには、被測定物の長さ方向と直交する方向に配設される絶縁性支腕材の一端部が各別に固着され、これら絶縁性支腕材は、それぞれの他端部に相互の間隔調節を自在に形成された絶縁性連結材を介在配置して連結され、各測定プローブに各別に接続された前記ケーブルのそれぞれは、各絶縁性支腕材と絶縁性連結材とを経てそれぞれが向き合う部位から導出して前記測定器に接続させたことにある。
【００１０】
【００１１】
また、第２の発明の構成上の特徴は、測定器との間に個別にケーブルを介在させて各別に電気的に接続される複数個の測定プローブを有し、これら測定プローブのそれぞれは、長尺な大型導体からなる被測定物の長さ方向と直交する位置関係でその略上半分を跨いでの当接載置が自在で、かつ、被測定物の長さ方向での側面側との対面部位に設けられた雌ねじ孔と螺合密着させて前記側面への圧接が自在な導電性ねじ杆を具備させてなる電気計測用の測定プローブユニットにおいて、前記測定プローブのそれぞれは、所定間隔をおいて平行に配置された一対の支腕部相互を連結腕部を介して一体に連結して略コ字状に形成された絶縁性連結腕材の各開放端部に各別に固着され、各測定プローブに各別に接続された前記ケーブルのそれぞれは、絶縁性連結腕材の長さ方向に沿わせて設けられた案内部に案内されてそれぞれが向き合う位置にて端子部を介して一本化して導出することにより前記測定器に接続させたことにある。この場合、各測定プローブの側からは２本ずつ前記ケーブルを引き出し、これらケーブルのそれぞれは、前記絶縁性連結腕材の長さ方向に沿わせ、かつ、相互を離間させて平行に設けられた案内部に個別に案内されて、それぞれが向き合う位置にて端子部を介して一本化して導出することにより前記測定器に接続させることもできる。
【００１２】
【発明の実施の形態】
図１は、本発明の原理を説明するための参考説明図であり、電気計測用の測定プローブユニットは、測定器５１との間に個別にケーブル５２を介在させて各別に電気的に接続されるアルミニウム等の導電材からなる複数個、図示例では２個の測定プローブ１１を備えて構成されており、例えば略直方体形状を呈する長尺な大型導体からなる被測定物１０１に設置して用いられる。
【００１３】
すなわち、測定プローブ１１のそれぞれは、被測定物１０１の長さ方向と直交する位置関係でその頂面１０２上に載置される当接部１２と、該当接部１２から各別に垂設されて被測定物１０１の長さ方向での両側面１０３に各別に対面配置される一対の脇当て部１３，１３とで断面略コ字形を呈して一体形成されている。なお、測定プローブ１１は、被測定物１０１の具体的な断面形状に対応合致し得る形状が少なくともその接触面側に付与されて形成されるのものであり、例えば被測定物１０１の断面形状がドーム状を呈するものであれば、ある程度のクリアランスを有してこれに対応合致する凹曲面がその接触面側に付与されて形成されることになる。
【００１４】
また、一対の脇当て部１３，１３の少なくともいずれか一方、図１に示す例では右側に位置する脇当て部１３には、側面１０２への圧接を自在に形成された真ちゅうやアルミニウム等の導電材からなる導電性ねじ杆１８が螺合密着される雌ねじ孔１４が形成されている。
【００１５】
図２は、本発明のうちの第１の発明の一例を示す説明図であり、図１に示した測定プローブ１１のそれぞれには、被測定物１０１の長さ方向と直交する方向に配設される絶縁性合成樹脂材などからなる絶縁性支腕材２１の一端部２２が当接部１２上にねじ止めや接合等により各別に固着されている。
【００１６】
また、これら絶縁性支腕材２１は、それぞれの他端部２３側に図３（ｂ）に示すように通孔２４が穿設されているほか、該通孔２４に対し裏側から対面合致する配置関係でアルミニウム等の導電材からなるナット材２５が固着配置されており、該ナット材２５と測定プローブ１１との間はケーブル５２ａを介して電気的に接続されている。
【００１７】
しかも、絶縁性支腕材２１，２１は、それぞれの他端部２３，２３相互間に架設される絶縁性合成樹脂材などからなる絶縁性連結材２６を介して一体的に連結されている。
【００１８】
この場合、該絶縁性連結材２６は、図３（ａ），（ｂ）に示すように長さ方向での一端部２７側と他端部２８側とのそれぞれに長さ方向に沿わせて設けられた所要長さの長孔２９を有しており、これら長孔２９の位置する部位には、該長孔２９と略同形のガイド孔３１が対面合致する配置関係で設けられたアルミニウム等の導電材からなる導電性ガイド板３０がねじ止め等により固着されている。この場合、各導電性ガイド板３０には、ガイド孔３１に沿わせた目盛３２をあらかじめ付しておき、絶縁性支腕材２１，２１相互間の離間距離を正確に設定できるようにしておくこともできる。
【００１９】
これにより、絶縁性連結材２６は、各絶縁性支腕材２１の他端部２３に設けられている通孔２４を介して挿通させたアルミニウム等の導電材からなる蝶ボルトやＴボルトなどの螺杆材３３をナット材２５に緊締螺着することにより、絶縁性支腕材２１，２１相互の間隔調整を自在にして一体的に連結できるようになっている。
【００２０】
しかも、各導電性ガイド板３０からは、導電性の連結金具３４を介してケーブル５２ｂが相互に向き合うように引き出されてコンセント部３５内に導入され、該コンセント部３５から一本化されて引き出されたケーブル５２ｃを測定器５１に接続することで、各測定プローブ１１と測定器５１とが電気的に接続されることになる。
【００２１】
図４は、第２の発明の一例を示す説明図であり、図１に示した測定プローブ１１のそれぞれは、略コ字状を呈して一体形成された絶縁性連結腕材４１に各別に固着されている。
【００２２】
すなわち、絶縁性連結腕材４１は、所定間隔をおいて平行に配置される一対の支腕部４２，４２と、これら支腕部４２，４２相互を連結する連結腕部４３とで一体に形成されている。
【００２３】
また、絶縁性連結腕材４１は、被測定物１０１の長さ方向と直交する方向に配設される支腕部４２，４２の各開放端部４２ａを対応する当接部１２上にねじ止めや接合等により各別に固着することにより、各測定プローブ１１の側と一体化されている。
【００２４】
しかも、各測定プローブ１１に各別に一本ずつ接続されたケーブル５２のそれぞれは、絶縁性連結腕材４１の長さ方向、つまり各支腕部４２から連結腕部４３へと至る長さ方向に沿わせてその一側表面に設けられたガイド溝や、絶縁性連結腕材４１内に設けられたガイド孔などからなる適宜構造の案内部４４に案内されてそれぞれが向き合う位置にてコンセント部４６内に導入され、該コンセント部４６から一本化されて引き出されたケーブル５２ｃを測定器５１に接続することで、各測定プローブ１１と測定器５１とが電気的に接続されることになる。
【００２５】
図５は、図４に示された一例についての変形例を示す説明図であり、この場合、各測定プローブ１１の側からはケーブル５２が二本ずつ引き出されている。このため、案内部４４は、絶縁性連結腕材４１の長さ方向、つまり各支腕部４２から連結腕部４３へと至る長さ方向に沿わせ、かつ、相互を平行に離間させてその一側表面に設けられたガイド溝や、絶縁性連結腕材４１内に設けられたガイド孔などにより形成されている。このため、それぞれの測定プローブ１１の側から引き出された各ケーブル５２は、対応する案内部４４に案内させることにより、隣り合うケーブル５２，５２相互を一定間隔で引き離した状態のもとでコンセント部４６内に導入され、該コンセント部４６から一本化されて引き出されたケーブル５２ｃを測定器５１に接続することで、各測定プローブ１１と測定器５１とが電気的に接続されることになる。なお、本例において二本ずつ引き出されているケーブル５２は、各開放端部４２にそれぞれ２個の測定プローブ１１を固着し、各測定プローブ１１から一本ずつ引き出して構成し、四端子測定法に適用できるようにしておくこともできる。
【００２６】
次に、本発明の作用・効果を説明するに先立ち、まず本発明の原理を説明する図１の参考説明図に基づいて、その作用・効果を説明すれば、被測定物１０１に対し電圧、電流、抵抗等の電気的な変量を測定するに際しては、まず、被測定物１０１における所定の測定位置にあってその長さ方向と直交する方向での頂面１０２上に当接部１２を載置し、各脇当て部１３を対応する側面１０３に対面させた配置関係のもとで２個の測定プローブ１１が各別に配置される。
【００２７】
次いで、各測定プローブ１１は、脇当て部１３の雌ねじ孔１４に導電性ねじ杆１８を緊締螺着することにより、被測定物１０１に対し所望する間隔で引き離した状態のもとでそれぞれを各別に固定配置することができる。
【００２８】
また、各測定プローブ１１は、当接部１２と脇当て部１３と導電性ねじ杆１８の先端面との三方向から支持された状態のもとで被測定物１０１の側に確実に固定されることになる。
【００２９】
かくして被測定物１０１に各測定プローブ１１を個別に設置した後は、該測定プローブ１１に接続されている各ケーブル５１を介して測定器５１と接続され、電圧、電流、抵抗等の電気的な変量を測定することができる。したがって、測定作業者は、測定器を操作するなど、一人であっても円滑に測定作業を遂行することができる。
【００３０】
次に、図２に基づき第１の発明の一例についての作用・効果を説明すれば、被測定物１０１の２点に設定される所定の測定ポイント相互の離間距離に合致するように絶縁性支腕部２１，２１を引き離した上で、それぞれのナット材２５に対し螺杆材３３を対応するガイド孔３１から各別に挿入して緊締することにより、絶縁性支腕部２１，２１と絶縁性連結材２６とを位置固定させた状態で連結する。この場合、各導電性ガイド板３０にあらかじめ目盛３２が付されているならば、絶縁性支腕材２１，２１相互間の離間距離を正確に設定して、使い勝手よく測定作業を遂行することができる。また、長さを異にしたり、測定ポイント相互の離間距離を変更する必要がある被測定物１０１に対しても、柔軟に追随させて測定作業を円滑に行うことができる。
【００３１】
しかも、絶縁性支腕部２１，２１を相互の間隔を変更するために移動させたとしても、ケーブル５２（５２ａ，５２ｂ，５２ｃ）に引張力がかかることはなく、したがってケーブル５２の切断を確実に防止して故障を少なくすることができる。また、螺杆材３３として蝶ボルトやＴボルトなどを適宜選択的に採用することにより、手で簡単に緩めたり締めたりできる作業性を得たり、緊締螺着状態を確実なものとして測定作業者のミスを防止できる確実性を得ることができる。
【００３２】
かくして、各絶縁性支腕部２１の一端部２２に固着されているそれぞれの測定プローブ１１を、図１の原理説明図と同様に被測定物１０１に設置することにより、被測定物１０１と測定器５１との間がケーブル５２ａ→ナット材２６→螺杆材３３→導電性ガイド板→連結金具３４→ケーブル５２ｂ→コンセント部３５→ケーブル５２ｃという電気経路を経て電気的に接続され、電圧、電流、抵抗等の電気的な変量を測定することができる。
【００３３】
さらに、本発明の作用・効果を図４に示す第２の発明の一例に基づき説明すれば、図１に示した測定プローブ１１のそれぞれは、略コ字状を呈して一体形成された絶縁性連結腕材４１の各開放端部４２ａに各別に固着されているので、連結腕部４３の長さによって規定される一定間隔をおいて被測定物１０１に対し測定プローブ１１を各別に固定することにより、直ちに設置することができる。
【００３４】
しかも、この場合、ケーブル５２のそれぞれは、絶縁性連結腕材４１の長さ方向、つまり各支腕部４２から連結腕部４３へと至る長さ方向に沿わせて設けられた案内部４４に案内されてそれぞれが向き合う位置にてコンセント部４６内に導入され、該コンセント部４６から一本化されて引き出されたケーブル５２ｃを測定器５１に接続されている。したがって、ケーブル５２と測定器５１とは、被測定物１０１の側から常に各支腕部４２の長さ分だけ強制的に引き離すことができるので、被測定物１０１からの磁界の影響を受けずに正確で安定した状態のもとで測定作業を遂行することができる。
【００３５】
また、図４に示す一例の変形例を図５に基づき説明すれば、各測定プローブ１１の側から各別に引き出された各二本のケーブル５２は、対応する案内部４４に各別に案内させることにより、隣り合うケーブル５２，５２相互を一定間隔で引き離した状態のもとでコンセント部４６内に導入することができる。
【００３６】
このため、各測定プローブ１１の側から各別に引き出された各二本のケーブル５２がＳＯＵＲＣＥ側とＳＥＮＳＥ側とで構成されている場合には、相互の距離を常に一定間隔に保つことができるので、ＳＥＮＳＥ側に発生する誘導電流の影響を少なくして四端子測定法による測定作業を遂行することができる。
【００３７】
【発明の効果】
以上述べたように本発明によれば、測定プローブ相互は、仮に測定作業者の両手を広げた間隔よりも離れた測定ポイントに対しても各別に固定できるので、一人であっても測定器を操作しながら円滑に測定作業を遂行することができる。
【００３８】
さらに、第１の発明によれば、測定プローブ相互の間隔を可変の状態のもとで被測定物に位置固定することができるので、各測定ポント相互の二点間があらかじめ定められている一定距離であったり、可変距離であったりしても、常に正確に位置決めして測定作業を遂行することができる。
【００３９】
さらにまた、第２の発明とその変形例とによる場合には、各測定ポント相互の二点間があらかじめ定められている一定距離である場合に正確に固定できるほか、ケーブルと測定器とは、被測定物から常に引き離しておくこともできるので、被測定物からの磁界の影響を受けずに正確で安定した状態のもとで測定作業を遂行することができる。
【００４０】
また、第２の発明の変形例による場合には、各測定プローブの側から各別に引き出された各二本のケーブルを対応する案内部を介して個別に案内させることにより、常に一定間隔で引き離しておくことができるので、四端子測定法による測定を誘導電流の影響を少なくして行う際に特に有効に適用できる。
【図面の簡単な説明】
【図１】本発明の原理を説明するための参考説明図。
【図２】本発明のうち、第１の発明の一例を被測定物との関係で示す説明図。
【図３】図２における絶縁性支腕材と絶縁性連結材との連結構造の詳細説明図であり、そのうちの（ａ）は上方向からみた場合を、（ｂ）は横方向からみた場合をそれぞれ示す。
【図４】第２の発明の一例を被測定物との関係で示す説明図。
【図５】第２の発明の変形例を被測定物との関係で示す説明図。
【図６】従来手法による被測定物と測定プローブとの配置関係を示す説明図。
【符号の説明】
１１ 測定用プローブ
１２ 当接部
１３ 脇当て部
１４ 雌ねじ孔
１８ 導電性ねじ杆
２１ 絶縁性支腕部
２２ 一端部
２３ 他端部
２４ 通孔
２５ ナット材
２６ 導電性連結材
２７ 一端部
２８ 他端部
２９ 長孔
３０ 導電性ガイド板
３１ ガイド孔
３２ 目盛
３３ 螺杆材
３４ 連結金具
３５ コンセント部
４１ 絶縁性連結腕材
４２ 支腕部
４２ａ 開放端部
４３ 連結腕部
４４ 案内部
４６ コンセント部
５１ 測定器
５２，５２ａ，５２ｂ，５２ｃ ケーブル
１０１ 被測定物
１０２ 頂面
１０３ 側面
【図１】
0004413372.tif 000002
【図２】
0004413372.tif 000003
【図３】
0004413372.tif 000004
【図４】
0004413372.tif 000005
【図５】
0004413372.tif 000006
【図６】
0004413372.tif 000007